(57)【要約】      （修正有）【課題】有機色素系光ディスクを光ディスクドライブに挿入してもフォーカス／トラッキング制御に失敗したりすることなく再生すること。【解決手段】コントロールデータ領域１０４の識別子１０８に収束されたレーザ光をアクセスさせるステップと、識別子１０８を判別してユーザーデータが記録済みかどうか判別するステップと、識別子１０８によりユーザーデータが記録済みと分かったときに限り、ユーザーデータ領域１０６に収束されたレーザ光をアクセスさせるステップと、ユーザーデータを再生するステップとを備えている。【選択図】図１
2007115338.tif 000002
【特許請求の範囲】
【請求項１】
収束されたレーザ光をトラッキングするスパイラル状もしくは同心円状の案内溝からなる情報トラックを備えた支持層上に色素系の記録材料からなる情報記録層を設け、レーザー光の照射により前記情報記録層の光学定数又は物理形状の変化によって情報が記録される光学的情報記録媒体であって、
少なくとも、ユーザーデータが前記収束されたレーザー光の照射により形成されるマーク及び前記マーク間のスペースとして案内溝上に記録されるユーザーデータ領域と、前記ユーザーデータ領域に前記ユーザーデータが記録済みかどうかを示す識別子を配置されるコントロールデータ領域とを備え、
未記録状態での前記ユーザーデータ領域における正規化プッシュプルトラッキングエラー信号振幅は所定の値Ａよりも大きく、かつ、記録後の前記ユーザーデータ領域における正規化プッシュプルトラッキングエラー信号振幅はＡ以下で、かつ、前記コントロールデータ領域における正規化プッシュプルトラッキングエラー信号振幅がＡ以下であり、
前記識別子は、前記情報記録層の光学定数又は物理形状の変化によって記録されることを特徴とする光学的情報記録媒体。
【請求項２】
情報記録層は、記録後の反射光量が、記録前の反射光量よりも大きくなるような光学定数又は物理形状の変化を有することを特徴とする請求項１記載の光学的情報記録媒体。
【請求項３】
コントロールデータ領域は、ユーザーデータ領域よりも内周側に配置され、かつ、
ディスクインフォメーション等の再生専用情報が案内溝の蛇行による変調によって格納されることを特徴とする請求項１記載の光学的情報記録媒体。
【請求項４】
識別子は、ユーザーデータ領域に加えてコントロールデータ領域以外の記録可能な領域の全てが記録されたことを示す請求項１記載の光学的情報記録媒体。
【請求項５】
識別子は少なくともコントロールデータ領域の内周端及び外終端からそれぞれ所定の距離だけ離れて配置されたことを特徴とする請求項１記載の光学的情報記録媒体。
【請求項６】
識別子は、収束されたレーザー光の照射により形成されるマーク及びスペースとして案内溝上に記録され、かつ、ユーザーデータと異なる変調規則を有することを特徴とする請求項１ないし５記載の光学的情報記録媒体。
【請求項７】
識別子は、マーク及びスペースからなる特定パターンによって構成されることを特徴とする請求項１ないし６記載の光学的情報記録媒体。
【請求項８】
識別子を構成する最短マークはユーザーデータ領域に記録される最短マークよりも長い、もしくは、前記識別部に記録される最短スペースはユーザーデータ領域に記録される最短スペースよりも長いことを特徴とする請求項７記載の光学的情報記録媒体。
【請求項９】
請求項１記載の光学的情報記録媒体にユーザーデータを記録する記録方法であって、
ユーザーデータをユーザーデータ領域に記録するステップと、
ユーザーデータ領域の一部もしくは全部の領域に記録した後に、コントロールデータ領域に識別子を記録するステップを備えたことを特徴とする光学的情報記録媒体の記録方法。
【請求項１０】
請求項１記載の光学的情報記録媒体からユーザーデータを再生する再生方法であって、
前記光学的情報記録媒体のコントロールデータ領域の識別子にレーザ光をアクセスさせるステップと、
前記識別子を判別してユーザーデータが記録済みかどうか判別するステップと、
前記識別子によりユーザーデータが記録済みと分かったときに限り、前記ユーザーデータ領域に前記レーザ光をアクセスさせるステップと、
前記ユーザーデータを再生するステップとを備えたことを特徴とする光学的情報記録媒体の再生方法。
【発明の詳細な説明】
【技術分野】
【０００１】
本発明は、レーザ光等の照射により情報の記録再生を行う記録層を備えた光学式記録媒体及びその記録再生方法に関するものである。
【背景技術】
【０００２】
近年、大容量で高密度なメモリーとして光ディスクが注目されており、情報の書換えが可能な消去型と、一回だけ情報の記録が可能な追記型がある。光ディスクは基板上には記録再生時にレーザ光をトラッキングするスパイラル状もしくは同心円状の案内溝を予め設けておくのが一般的である。例えば、書換型のブルーレイディスクでは、案内溝はレーザ光照射面に側に凸状になっており、この凸部にレーザ光の照射により情報を記録する（非特許文献１参照）。このような場合をオングルーブ（Ｏｎ−Ｇｒｏｏｖｅ）記録と呼び、一方、レーザ光照射面に側に凹状になった案内溝に情報を記録する場合をイングルーブ（Ｉｎ−Ｇｒｏｏｖｅ）記録と呼んで区別する。
【０００３】
一方、近年になって各種情報機器の処理能力の向上に伴い、扱われる情報量が大きくなっており、より安価な記録媒体が求められている。この安価な記録媒体の一例として、スピンコート法によって形成した有機色素膜を記録層として用いた追記型記録媒体がある。      
【０００４】
図５は、前記追記型光ディスクの半径方向の要部断面図である。同図において、記録媒体４０１は、情報トラックを備えた厚さ１．１ｍｍの基板４０２上にスピンコート法によって有機色素材料を塗布することで記録層４０３を形成し、その上に厚さ０．１ｍｍの透明なカバー層４０４を設けた構造であり、カバー層４０４を通してレーザ光４０７を照射し、情報の記録再生を行う。
【０００５】
スピンコート法で形成した記録層４０３は、情報トラックの凹凸のうち、凹状の領域４０５に有機色素材料が溜まるため、所望の再生信号品質を達成するため案内溝を深くしている。また、有機色素材料が溜まったところに記録するため必然的にイングルーブ記録となる。一方、前述の書換型のブルーレイディスクや、スピンコートを使わない無機系記録材料を用いた光ディスクは、多層膜の干渉を用いているので案内溝を深くしなくても所望の再生信号品質を達成することができる。
【０００６】
図６に従来の光ディスクの平面図を示す。同図において、光ディスク５０１は、中心孔５０２を備えたポリカーボネートからなる直径１２０ｍｍ、厚さ１．１ｍｍの透明基板上に記録層を設け、厚さ０．１ｍｍの保護層を設けた構造であり、前記保護層を通してレーザ光を照射し、情報の記録再生を行う。
【０００７】
また、光ディスク５０１は、内周からＢＣＡ領域５０３、リードイン領域５０４、ユーザデータを記録するユーザーデータ領域５０５、リードアウト領域５０６を有している。
【０００８】
ここで、案内溝の深さが光ディスクドライブの動作についてどう影響を与えるかを簡単に説明する。レーザースポットが案内溝上を正確にトレースするためにトラッキング制御が行われるが、案内溝中心からレーザスポット中心のずれ量を検出するためにＰＰ（プッシュプル）信号が用いられる。ＰＰ信号については、数々の文献に詳細な説明があるので個々では説明を省略する（非特許文献２参照）。一般に、ＰＰ信号はディスク毎の反射率ばらつき等を補償するため、反射光のＤＣ成分でＰＰ信号を除算して正規化ＰＰ信号としてトラッキング制御回路に用いられる。
【非特許文献１】日経ＢＰ社刊（２００４）、次世代光ディスク解体新書、Ｐ２７、図６
【非特許文献２】ラジオ技術社刊（１９８８）、光ディスク技術、Ｐ８５〜Ｐ８７
【発明の開示】
【発明が解決しようとする課題】
【０００９】
しかしながら、この正規化ＰＰ信号は案内溝の深さが深いほど振幅が大きいが、振幅が大きすぎると光ディスクドライブのフォーカス制御やトラッキング制御が不安定になり、スタートアップに失敗したり、最悪の場合は光ディスクやレーザー集光用の対物レンズに損傷を与えてしまいかねないという課題がある。従って、前述の書換型のブルーレイディスクや、スピンコートを使わない無機系記録材料を用いた光ディスクのみに対応した光ディスクドライブ（以後これを低ＰＰ対応ドライブと呼ぶ）に、スピンコート法によって形成した有機色素膜を記録層として用いた光ディスクを挿入すると、前記のような課題が生じうる。
【００１０】
本発明は、上記問題点に鑑みてなされたものであり、有機色素系光ディスクを光ディスクドライブに挿入してもフォーカス／トラッキング制御に失敗したりすることなく再生することが可能な光学的情報記録媒体、及びその記録方法及びその再生方法を提供することを目的とする。
【課題を解決するための手段】
【００１１】
本発明の光学的情報記録媒体は、収束されたレーザ光をトラッキングするスパイラル状もしくは同心円状の案内溝からなる情報トラックを備えた支持層上に色素系の記録材料からなる情報記録層を設け、レーザー光の照射により情報記録層の光学定数又は物理形状の変化によって情報が記録される光学的情報記録媒体であって、少なくとも、ユーザーデータが収束されたレーザー光の照射により形成されるマーク及びマーク間のスペースとして案内溝上に記録されるユーザーデータ領域と、ユーザーデータ領域にユーザーデータが記録済みかどうかを示す識別子を配置されるコントロールデータ領域とを備え、未記録状態でのユーザーデータ領域における正規化プッシュプルトラッキングエラー信号振幅は所定の値Ａよりも大きく、かつ、記録後のユーザーデータ領域における正規化プッシュプルトラッキングエラー信号振幅はＡ以下で、かつ、コントロールデータ領域における正規化プッシュプルトラッキングエラー信号振幅がＡ以下であり、識別子は、情報記録層の光学定数又は物理形状の変化によって記録され、これにより、上記目的が達成される。
【００１２】
さらに、本発明の光学的情報記録媒体の記録方法は、上記の光学的情報記録媒体にユーザーデータを記録する記録方法であって、ユーザーデータをユーザーデータ領域に記録するステップと、ユーザーデータ領域の一部もしくは全部の領域に記録した後に、コントロールデータ領域に識別子を記録するステップを備え、
本発明の光学的情報記録媒体の再生方法は、上記の光学的情報記録媒体からユーザーデータを再生する再生方法であって、コントロールデータ領域の識別子に収束されたレーザ光をアクセスさせるステップと、識別子を判別してユーザーデータが記録済みかどうか判別するステップと、識別子によりユーザーデータが記録済みと分かったときに限り、ユーザーデータ領域に収束されたレーザ光をアクセスさせるステップと、ユーザーデータを再生するステップとを備え、これにより、上記目的が達成される。
【発明の効果】
【００１３】
本発明の光学的情報記録媒体及びその記録方法及びその再生方法によれば、正規化ＰＰ信号振幅の大きな有機色素系光ディスクを、正規化ＰＰ信号振幅の小さな光ディスクのみに対応した光ディスクドライブに挿入してもフォーカス／トラッキング制御に失敗したりすることなく再生することが可能となる。
【発明を実施するための最良の形態】
【００１４】
以下、本発明の光学式情報記録媒体及び記録再生方法について、図面を参照しながら説明する。本実施の形態における記録媒体は、主にＮＡが約０．８５の対物レンズによって集光された波長λが約４０５ｎｍのレーザ光を照射することによって情報の記録及び再生を行う光ディスクである。
【００１５】
まず、光ディスクの記録前後における反射率変化の方向、即ち、記録すると反射率が低くなるか、高くなるかによって光ディスクを分類できる。前者をＨｉ＿ｔｏ＿Ｌｏ（ハイツーロー）媒体、後者をＬｏ＿ｔｏ＿Ｈｉ（ローツーハイ）媒体と称し、以後ＨＴＬ及びＬＴＨと略すことにする。前述の書換型ブルーレイディスクやスピンコートを使わない無機系記録材料を用いた光ディスクはＨＴＬ型であるが、イングルーブ記録の有機色素系記録材料を用いた追記型記録媒体はＬＴＨ型である。ＬＴＨ型は記録によって反射光量が増加するため、ＰＰ信号を覇者校のＤＣ成分で正規化した正規化ＰＰ信号は記録によって小さくなる。
【００１６】
そこで、未記録では正規化ＰＰ信号振幅の大きい有機色素記録材料を用いた光ディスクに対応した光ディスクドライブによって、全ての情報トラックに記録した後で残りの未記録な案内溝にダミーデータを追加で記録し正規化ＰＰ信号振幅を小さくしてやれば、低ＰＰ対応ドライブに挿入しても上述した課題が生じないようにさせ、少なくとも低ＰＰ対応ドライブによる再生が可能となる。このように、残りの未記録な案内溝にダミーデータを記録することをファイナライズとよぶ。
【００１７】
ファイナライズすることによって、低ＰＰ対応ドライブであっても、前述の有機色素系光ディスクをトラブル無く再生することが可能となるが、ユーザーが誤って未使用即ち未記録の有機色素系光ディスクを誤って挿入してしまうことも考えられる。即ち、低ＰＰ対応ドライブにとって、有機色素系光ディスクがファイナライズ済みかどうか識別できなければ、前述のようなフォーカス／トラッキング制御が不安定になって、ディスクに損傷を与えてしまうことを防ぐため、本実施例においてはディスクが未記録であることを検出することができる識別子を導入する。
（実施の形態）
図１に本発明の実施の形態における光ディスクの平面図を示す。
【００１８】
図１において、光ディスク１０１は、中央に記録再生装置に装着するための直径１５ｍｍの中心孔１０２を備えたポリカーボネートからなる直径１２０ｍｍ、厚さ約１．１ｍｍの透明基板上に記録層を設け、厚さ約０．１ｍｍの保護層を設けた構造であり、前記保護層を通してレーザ光を照射し、情報の記録再生を行う。前記記録層は有機色素材料からなり、高パワーのレーザ光を照射する事によって記録マークを形成し、低パワーのレーザー光で再生する。
【００１９】
また、光ディスク１０１は、半径約２１ｍｍから約２２ｍｍの位置に設けられ、ＢＣＡ（Ｂｕｒｓｔ  Ｃｕｔｔｉｎｇ  Ａｒｅａ）信号と呼ばれるバーコード上の信号が記録されるＢＣＡ領域１０３、半径約２２ｍｍから約２３ｍｍの位置に設けられ、コントロールデータの格納のためのコントロールデータ領域１０４、半径約２３ｍｍから約２４ｍｍの位置に設けられ、ディスク管理情報の格納や最適な記録条件を求める学習動作及びバッファーのためのディスク管理領域１０５、半径約２４ｍｍから約５８ｍｍの位置に設けられ、ユーザーデータを記録するユーザーデータ領域１０６、半径約５８ｍｍから外側に設けられ、ディスク管理情報の格納及び最適な記録条件を求める学習動作のためのリードアウト領域１０７を有している。さらに、コントロールデータ領域１０４内に、光ディスク１０１がファイナライズ済みかどうかを示す識別子１０８が設けられている。識別子１０８はコントロールデータ領域１０４の内終端及び外周端から十分離れた位置に配置され、ユーザーデータの記録と同様に強度変調されたレーザ光の照射によって記録される。ディスク管理領域１０５およびユーザーデータ領域１０６は、トラックピッチ約０．３２μｍの案内溝によって構成されている。コントロールデータ領域１０４は、トラックピッチ約０．３５μｍの溝を径方向に蛇行（ウォブル）させ、その空間周波数を変調して再生専用の情報を格納している。この領域では、案内溝の蛇行の空間周波数に重要な情報を含んでいるため、隣接するトラックとのクロストークを低減して、再生される情報の信頼性を高める目的で、ユーザーデータ領域１０６よりも大きなトラックピッチに設定されている。また、ディスク管理領域１０５およびユーザーデータ領域１０６の案内溝も、一定の周波数変調に従って径方向に蛇行（ウォブル）させてアドレス情報を記録するとともに、このウォブルから得られる信号に基づいて記録再生装置のスピンドルモータの回転を制御するために用いられる。また、ＢＣＡ領域には光ディスクの種類、イン／オングルーブ記録の種類、ＨＴＬ型とＬＴＨ型の種類を表すフラグ等が含まれディスク情報がバーコード状に記録される。
【００２０】
図２は、本実施例の色素系記録材料を用いたＬＴＨ型の光ディスクが未記録であった場合の、（ａ）同光ディスクにおける主な領域の配置図、（ｂ）各領域におけるデータ再生信号の波形を示した模式図、（ｃ）各領域における規格化ＰＰ信号の波形を示した模式図である。同図（ａ）において２００はＢＣＡ領域、２０１はバッファとしてのプロテクト領域、２０２はコントロールデータ領域、２０３はプロテクト領域、２０４は記録学習領域、２０５はバッファ領域、２０６は管理情報領域、２０７はバッファ領域、２０８はユーザデータ領域、２０９は外周領域を示している。２０９は識別子でコントロールデータ領域の途中に配置されている。この場合、本光ディスクは未記録なので同図（ｂ）でデータ再生信号はみられない。同図（ｃ）においては右端に記載されたＡ１は、従来のＨＴＬ型光ディスクにおいて想定されている正規化ＰＰ信号振幅の最大値を示している。本実施例の光ディスクにおいては、プロテクト領域２０１とコントロールデータ領域２０２においては、案内溝の溝深さを浅くする等で、これらの領域における正規化ＰＰ信号振幅をＡ１以下になるようにしている。一方、プロテクト領域２０３からリードアウト領域２０９の間は色素記録層の信号振幅が大きくなるように案内溝を深くしているので、正規化ＰＰ信号の振幅がＡ１を超えている。
【００２１】
次に図３は、本実施例の光ディスクに記録が行われたがファイナライズはされていない場合の、（ａ）同光ディスクにおける主な領域の配置図、（ｂ）各領域におけるデータ再生信号の波形を示した模式図、（ｃ）各領域における規格化ＰＰ信号の波形を示した模式図である。本光ディスクは一部記録済みなので記録学習領域２０４，管理情報領域２０６及びリードアウト領域２０９にも一部記録が行われる。従って、同図（ｂ）のデータ再生信号をみると部分的に櫛状に再生信号が分布することになる。正規化ＰＰ信号は、同図（ｃ）に示したように、記録済みの領域だけその振幅がＡ１よりも小さくなる。
【００２２】
最後に図４は、本実施例の光ディスクに記録が行われた後ファイナライズされた場合の、（ａ）同光ディスクにおける主な領域の配置図、（ｂ）各領域におけるデータ再生信号の波形を示した模式図、（ｃ）各領域における規格化ＰＰ信号の波形を示した模式図である。ファイナライズされているので、プロテクト領域２０３からリードアウト領域２０９までの全領域にわたって記録が行われる。従って、同図（ｂ）のデータ再生信号はそれらの領域すべてに観測できる。正規化ＰＰ信号は、同図（ｃ）に示したように、全面が記録されたことによって振幅がＡ１よりも小さくなる。また、ファイナライズが行われたことを示す識別子２１０がコントロールデータ領域内２０２の特定のアドレスに記録されており、正規化ＰＰ信号振幅の小さな光ディスクのみに対応した光ディスクドライブは、これを検出することによってファイナライズ済みであることを知ることができる。
【００２３】
次に、本実施例の色素系記録材料を用いたＬＴＨ型の光ディスクが、本光ディスクに対応した光ドライブによってユーザデータを記録され、低ＰＰ対応光ディスクドライブによって、記録済みのユーザーデータが再生される方法について、図２、３及び４に示した３つのケースについて、以下説明する。
【００２４】
まず、本実施例の色素系記録材料を用いたＬＴＨ型の光ディスクに対応した光ドライブに本光ディスクが挿入されると、ユーザーデータを記録後ファイナライズが必要な場合は、前述したようにプロテクト領域２０３からリードアウト領域２０９までの全領域にわたって追加の記録が行われる。追加記録されるデータは００ｈ等のダミーデータでよいが、どのアドレスに本物のユーザーデータが記録されているかは、管理情報領域２０６にディスク管理情報として記録される。ユーザーデータを記録後ファイナライズが必要なかどうかの判断は、たとえばＢＣＡ領域２００やコントロールデータ領域２０２に記録されたディスクタイプ情報からＬＴＨ型光ディスクだと識別したときに、ディスク排出時に自動的にファイナライズするようにしてもよいし、使用者が手動で行ってもよい。
【００２５】
次に、ファイナライズされた本実施例の光ディスクが、低ＰＰ対応光ディスクドライブに挿入されると、レーザー光をＢＣＡ領域２００にアクセスしてディスクタイプ情報を読み出し、本光ディスクが正規化ＰＰ信号が大きいタイプの光ディスクだと判別する。これにより、次にレーザー光をコントロールデータ領域の識別子が配置されている付近に移動させ、フォーカス及びトラッキングサーボ制御を作動させて識別子２１０が記録されているかどうか検索する。コントロールデータ領域２０２は正規化ＰＰ信号振幅がＡ１以下であるため、上記サーボ制御が安定にかかる。識別子２１０が検出されると、本光ディスクドライブは本光ディスクがファイナライズ済みだと判断し、レーザ光を管理情報領域２０６やユーザーデータ領域２０８へアクセスさせ、以後ユーザーデータの再生を行う。一方、識別子２１０が検出されないと、低ＰＰ対応光ディスクドライブは本ディスクが未記録であるか、もしくは記録済みだがファイナライズされていないと判断し、ユーザーデータの再生は行わずに本光ディスクを排出する。従って、レーザ光が正規化ＰＰ信号の大きな領域をアクセスする可能性はないので、フォーカス／トラッキング制御が不安定になってディスクやドライブにダメージを与えることはない。
【００２６】
なお、ファイナライズではユーザデータ領域２０８の記録済みの領域の終端からリードアウト領域２０９までのすべてにダミーデータを追加する代わりに、リードアウト領域２０９を未記録のままにして、ユーザデータ領域２０８の記録済みの領域の終端から所定の長さだけガード領域としてダミーデータを追加記録するだけでもよい。このガード領域は、レーザー光のアクセス位置精度より大きな幅をとっておけば、ガード領域より外周側にレーザ光がアクセスする可能性はないため、フォーカス／トラッキング制御が不安定になってディスクやドライブにダメージを与えることを避けることができる。しかも、リードアウト領域２０９に達するまでダミーデータを記録していく必要がないので、ファイナライズに要する時間を大幅に短縮できる。
【００２７】
識別子が記録されるコントロールデータ領域には、案内溝のウォブルによる変調によりコントロールデータが記録されているため、識別子の再生信号にコントロールデータがクロストークノイズとして混入するおそれがある。よって、識別子のパターンは、ユーザーデータに使用する変調規則に従う必要はなく、検出しやすい長めの記録マークの組み合わせのほうが望ましい。たとえば、ユーザーデータが（１，７）ＲＬＬ変調であるとき、識別子を９Ｔｍ／９Ｔｓ／９Ｔｍ／９Ｔｓ／９Ｔｍ／９Ｔｓや３Ｔｍ／３Ｔｓ／２Ｔｍ／２Ｔｓ／５Ｔｍ／５Ｔｓ等にするとよい。ここでＴはチャンネルビット長、ｍは記録マーク、ｓはマーク間のスペースを表す。さらに識別子の検出精度を高めるためにこれらを複数回繰り返してもよい。
【００２８】
また、本発明の実施の形態においては、識別子２１０をコントロールデータ領域２０２内に配置したが、バッファ領域２０７内等ユーザーデータ領域２０８に連続する領域に配置してもよい。ファイナライズ時にバッファ領域２０７からユーザーデータ領域２０８まで連続して記録済みにして、そのなかに識別子２１０が配置されていれば、識別子の近辺で正規化ＰＰ信号振幅はＡ１以下に収まっているのでレーザービームは安定にアクセスすることができ、ファイナライズ済みであることを容易に検出できる。ファイナライズされていなければ、レーザー光がアクセスしようとしてもサーボの不安定化により識別子の検出が不可能なので、アクセスに失敗したことをもってファイナライズされていないディスクだと判断し、ディスクを排出することも可能である。
【産業上の利用可能性】
【００２９】
本発明の光学的情報記録媒体及びその記録方法及びその再生方法は、正規化ＰＰ信号振幅の大きな有機色素系光ディスクを、従来の正規化ＰＰ信号振幅の小さな無機系光ディスクのみに対応した光ディスクドライブに挿入してもフォーカス／トラッキング制御に失敗したりすることなく再生することが可能となり、市場における光ディスクドライブの互換性を向上させるのに有用である。
【図面の簡単な説明】
【００３０】
【図１】本発明の実施の形態における光ディスクの平面図である。
【図２】本発明の実施の形態における未記録の光ディスクのデータ再生信号の及び規格化ＰＰ信号の波形図である。
【図３】本発明の実施の形態におけるファイナライズされていない光ディスクのデータ再生信号の及び規格化ＰＰ信号の波形図である。
【図４】本発明の実施の形態におけるファイナライズされた光ディスクのデータ再生信号の及び規格化ＰＰ信号の波形図である。
【図５】有機系追記型光ディスクの半径方向の要部断面図である。
【図６】従来の光ディスクの平面図である。
【符号の説明】
【００３１】
１０１  光ディスク
１０４，２０２  コントロールデータ領域
１０６，２０８  ユーザーデータ領域
１０８，２１０  識別子
【図１】
2007115338.tif 000003
【図２】
2007115338.tif 000004
【図３】
2007115338.tif 000005
【図４】
2007115338.tif 000006
【図５】
2007115338.tif 000007
【図６】
2007115338.tif 000008